(57)【要約】【課題】    バリアフリーの窓に対応しつつ、清掃時等に障子が脱落することなく、かつ障子を円滑に開閉操作可能であるとともに、外観意匠性に優れたサッシ窓を提供すること。【解決手段】レール部３０、気密材３１、およびレール間上面部材３２の上端が略同一高さ位置に設けられているので、下枠１２の上面をフラットに形成することができ、バリアフリー対応のサッシ窓とすることができる。レール間上面部材３２を取り外すことで、レール部３０間の清掃ができるので、清掃時に障子１５が脱落するおそれもなく、清掃作業を安心して実行することができる。さらに、レール間上面部材３２に各種のデザインを施すことで、下枠１２の外観意匠性を向上させることができる。【選択図】  図４
2005232952.tif 000002
【特許請求の範囲】
【請求項１】
上枠、下枠、および左右の縦枠を有する窓枠と、この窓枠内側に開閉自在に支持された室内側および室外側の引違い形式の障子とを備えたサッシ窓であって、
前記下枠は、建物に固定される下枠本体と、前記障子の戸車を案内する室内側および室外側のレール部と、前記室内外の各障子に当接する室内側および室外側の気密材と、前記室内外の各レール部間に着脱自在に設けられたレール間上面部材とを備え、
前記室内外の各気密材は、前記室内外のレール部に隣接して前記下枠本体に設けられた気密材保持部、または前記レール部に設けられた気密材保持部に着脱可能に保持され、
前記各レール部、各気密材、およびレール間上面部材の各々の上端が略同一高さ位置に設けられているサッシ窓。
【請求項２】
前記下枠本体は、前記室内側レール部よりも室内側に設けられて上方に開口した室内側凹溝部と、前記室外側レール部よりも室外側に設けられて上方に開口した室外側凹溝部とを有し、
前記室内側および室外側の凹溝部には、それぞれ室内側および室外側の上面部材が着脱自在に取り付けられ、これら室内外の各上面部材の上端が前記各レール部、各気密材、およびレール間上面部材の上端と略同一高さ位置に設けられている請求項１に記載のサッシ窓。
【請求項３】
前記下枠上面において、室内側から室外側に向かって前記室内側上面部材、室内側レール部、室内側気密材、レール間上面部材、室外側レール部、室外側気密材、室外側上面部材の順に各部材が設けられており、
前記室内側気密材と前記レール間上面部材との間、および前記室外側気密材と前記室外側上面部材との間には、それぞれ隙間が形成され、これらの隙間には、前記室内外の各障子下端に設けられた垂下片が挿入され、これら各障子の垂下片の室内側側面に前記各気密材が当接している請求項２に記載のサッシ窓。
【請求項４】
上枠、下枠、および左右の縦枠を有する窓枠と、この窓枠に固定された固定面材と、この固定面材の室外側または室内側で開閉自在に前記窓枠内側に支持された片引き形式の障子とを備えたサッシ窓であって、
前記下枠は、建物に固定される下枠本体と、前記障子の戸車を案内するレール部と、前記障子に当接する気密材と、前記レール部の室内側または室外側に着脱自在に設けられたレール側方上面部材とを備え、
前記気密材は、前記レール部に隣接して前記下枠本体に設けられた気密材保持部、または前記レール部に設けられた気密材保持部に着脱可能に保持され、
前記レール部、気密材、およびレール側方上面部材の各々の上端が略同一高さ位置に設けられているサッシ窓。
【請求項５】
前記下枠本体は、前記レール部よりも室内側に設けられて上方に開口した室内側凹溝部と、前記レール部よりも室外側に設けられて上方に開口した室外側凹溝部とを有し、
前記室内側および室外側の凹溝部には、それぞれ室内側および室外側の上面部材が着脱自在に取り付けられ、これら室内外の各上面部材の上端が前記レール部、気密材、およびレール側方上面部材の上端と略同一高さ位置に設けられている請求項４に記載のサッシ窓。
【請求項６】
前記障子は、前記固定面材の室外側に開閉自在に支持されており、
前記下枠上面において、室内側から室外側に向かって前記室内側上面部材、レール側方上面部材、レール部、気密材、室外側上面部材の順に各部材が設けられており、
前記気密材と前記室外側上面部材との間には、隙間が形成され、この隙間には、前記障子下端に設けられた垂下片が挿入され、この垂下片の室内側側面に前記気密材が当接している請求項５に記載のサッシ窓。
【請求項７】
前記障子は、前記固定面材の室内側に開閉自在に支持されており、
前記下枠上面において、室内側から室外側に向かって前記室内側上面部材、レール部、気密材、レール側方上面部材、室外側上面部材の順に各部材が設けられており、
前記気密材と前記レール側方上面部材との間には、隙間が形成され、この隙間には、前記障子下端に設けられた垂下片が挿入され、この垂下片の室内側側面に前記気密材が当接している請求項５に記載のサッシ窓。
【請求項８】
前記室外側上面部材の上面には、網戸を案内する網戸案内部が設けられている請求項２、請求項３、請求項５から請求項７のいずれかに記載のサッシ窓。
【請求項９】
前記レール部は、前記下枠の長手方向略全長に渡る長さ寸法を有して分割せずに形成され、前記下枠本体に設けられたレール支持部に着脱可能に支持されている請求項１から請求項８のいずれかに記載のサッシ窓。
【請求項１０】
前記各上面部材の少なくとも１つは、再生木から形成されている請求項１から請求項９のいずれかに記載のサッシ窓。
【請求項１１】
前記各上面部材の少なくとも１つは、前記下枠の長手方向途中位置で少なくとも二分割されている請求項１から請求項１０のいずれかに記載のサッシ窓。
【請求項１２】
前記レール部には、上方に突出した戸車案内部が形成され、この戸車案内部の上端が前記気密材の上端よりも上方に設けられている請求項１から請求項１１のいずれかに記載のサッシ窓。
【請求項１３】
前記下枠本体の室内側には、当該下枠本体を室内床に固定するための固定部材が着脱可能に設けられている請求項１から請求項１２のいずれかに記載のサッシ窓。
【請求項１４】
前記下枠本体は、室内側に配置される室内部材と、室外側に配置される室外部材と、これら室内部材および室外部材を連結する断熱部材とを備えて構成されている請求項１から請求項１３のいずれかに記載のサッシ窓。
【発明の詳細な説明】
【技術分野】
【０００１】
本発明は、引違い窓や片引き窓等のサッシ窓に関し、詳しくは、下枠の上面が略フラットに形成され、室内外の床材上面との段差を小さくしたバリアフリータイプの掃出し窓に用いられるサッシ窓に関する。
【背景技術】
【０００２】
住宅等のテラスやバルコニー等に面した外壁位置には、居住者が室内からテラス等に出入りするための掃出し窓が設けられている。このような掃出し窓としては、外壁に固定された窓枠と、この窓枠内にスライド自在に支持された可動障子とを備えた、引違い窓や片引き窓等のサッシ窓が一般的である。
このサッシ窓としては、障子の下框に設けられた戸車を案内するガイドレールが下枠上面から突出して形成されたものが従来から広く利用されている。また、下枠において、室外の雨水等が室内側に吹き込まないように、室外側に向かって下がる段差を形成し、室外側のガイドレールを室内側のガイドレールよりも低い位置に設けた水密構造が一般的であるが、近年、居住者の高齢化や、車いす利用者の利便性等に配慮したバリアフリータイプの掃出し窓が提案されている（例えば、特許文献１参照）。
【０００３】
特許文献１に記載された掃出し窓の下枠は、下枠本体と、下枠上面を略水平（フラット）にする目板材（上面フラット部材）とを備えて構成され、この目板材がガイドレールとして機能するようになっている。従って、目地板の上面がほぼフラットで段差が小さくなっているため、居住者や車いすは下枠上をスムーズに通過することができる。
そして、目板材は、下枠の長手方向に関して三分割され、下枠本体に対して脱着可能に取り付けられており、片側に寄せた障子の反対側の目板材を外せば、下枠本体の内部を掃除することができるようになっている。
【０００４】
【特許文献１】特許第３３３２９１４号公報
【発明の開示】
【発明が解決しようとする課題】
【０００５】
しかしながら、前記特許文献１に記載の下枠構造では、下枠本体内部を掃除する際に、障子を支持するガイドレールとしての機能を有する目板材を取り外す必要があり、取り外した目板材側に誤って障子を移動させてしまうと、戸車が脱輪して障子が脱落する可能性がある。さらに、掃除の際、居住者等が目地板を脱着する必要があるので、適正に取り付けることができなかった場合、障子の開閉操作に障害が生じる可能性もあり、問題である。
また、フラットな下枠上面の外観を形成する目板材にガイドレールとして障子を支持させており、目板材には強度や耐摩耗性等が要求されるため、外観上目立つ部分である目板材の上面におけるデザインの自由度が制約され、下枠の意匠性を向上させることが困難であるという問題もある。
【０００６】
本発明の目的は、バリアフリーの窓に対応しつつ、清掃時等に障子が脱落することなく、かつ障子を円滑に開閉操作可能であるとともに、外観意匠性に優れたサッシ窓を提供することにある。
【課題を解決するための手段】
【０００７】
本発明のサッシ窓は、上枠、下枠、および左右の縦枠を有する窓枠と、この窓枠内側に開閉自在に支持された室内側および室外側の引違い形式の障子とを備えたサッシ窓であって、前記下枠は、建物に固定される下枠本体と、前記障子の戸車を案内する室内側および室外側のレール部と、前記室内外の各障子に当接する室内側および室外側の気密材と、前記室内外の各レール部間に着脱自在に設けられたレール間上面部材とを備え、前記室内外の各気密材は、前記室内外のレール部に隣接して前記下枠本体に設けられた気密材保持部、または前記レール部に設けられた気密材保持部に着脱可能に保持され、前記各レール部、各気密材、およびレール間上面部材の各々の上端が略同一高さ位置に設けられていることを特徴とする。
【０００８】
ここで、各レール部、各気密材、およびレール間上面部材の各々の上端が略同一高さ位置に設けられるとは、同一の高さ位置に設けられる場合に限らず、居住者や車いす等の移動に際し、障害とならない程度の異なる高さ位置に設けられる場合も含む意味である。
【０００９】
このような構成によれば、室内外の各レール部、室内外の各気密材、およびレール間上面部材の上端が略同一高さ位置に設けられているので、下枠の上面をフラットに形成することができ、バリアフリー対応の引違い窓とすることができる。
また、レール間上面部材を取り外すことで、レール部を取り外すことなくレール部間の清掃ができるので、清掃時に障子が脱落するおそれもなく、清掃作業を安心して実行することができる。
さらに、下枠の外観上目立つ部分であるレール部間に設けられるレール間上面部材を、障子を支持するレール部と別部材で構成したので、レール間上面部材に強度や耐摩耗性等がさほど要求されず、レール間上面部材に各種のデザインを施す（例えば、好みの色に着色したり、木目模様のラミネートフィルムを貼り付けたりする）、あるいはデザイン性を有する樹脂で形成する等の手段で、下枠の外観意匠性を向上させることができる。
【００１０】
この際、本発明のサッシ窓では、前記下枠本体は、前記室内側レール部よりも室内側に設けられて上方に開口した室内側凹溝部と、前記室外側レール部よりも室外側に設けられて上方に開口した室外側凹溝部とを有し、前記室内側および室外側の凹溝部には、それぞれ室内側および室外側の上面部材が着脱自在に取り付けられ、これら室内外の各上面部材の上端が前記各レール部、各気密材、およびレール間上面部材の上端と略同一高さ位置に設けられていることが好ましい。
このような構成によれば、室内側および室外側の上面部材を設け、これら室内外の上面部材の上端が各レール部、各気密材、およびレール間上面部材の上端と略同一高さ位置に設けられているので、下枠上面のフラット感をより一層向上させることができる。
また、これら室内外の各上面部材を取り外すことで、レール部間のみならず、下枠本体における室内外の凹溝部内を清掃することができる。
【００１１】
さらに、本発明のサッシ窓では、前記下枠上面において、室内側から室外側に向かって前記室内側上面部材、室内側レール部、室内側気密材、レール間上面部材、室外側レール部、室外側気密材、室外側上面部材の順に各部材が設けられており、前記室内側気密材と前記レール間上面部材との間、および前記室外側気密材と前記室外側上面部材との間には、それぞれ隙間が形成され、これらの隙間には、前記室内外の各障子下端に設けられた垂下片が挿入され、これら各障子の垂下片の室内側側面に前記各気密材が当接していることが好ましい。
このような構成によれば、室内外のレール部の室外側に各々隣接して気密材が配置され、これらの気密材の室外側に各々隙間が形成され、これらの隙間に挿入された障子の垂下片に気密材が当接することで、下枠と障子との間の気密ラインが形成される。すなわち、気密材に沿って設けられる隙間としては、障子の垂下片が挿入可能な最小限の幅寸法を有していればよく、最小限の隙間を設けるだけで気密ラインを形成することができるので、大きな隙間や凹凸を設ける必要がないことから、下枠上面をさらにフラットに形成することができる。
また、このような隙間に障子の垂下片を挿入することで、窓の外観上、障子下端縁と下枠上面との隙間が見えず、外観意匠性が向上するとともに、障子下端と下枠との間に室外側からバール等の工具を差し込んで障子を外す行為が防止でき、防犯性を向上させることができる。
【００１２】
一方、本発明のサッシ窓は、上枠、下枠、および左右の縦枠を有する窓枠と、この窓枠に固定された固定面材と、この固定面材の室外側または室内側で開閉自在に前記窓枠内側に支持された片引き形式の障子とを備えたサッシ窓であって、前記下枠は、建物に固定される下枠本体と、前記障子の戸車を案内するレール部と、前記障子に当接する気密材と、前記レール部の室内側または室外側に着脱自在に設けられたレール側方上面部材とを備え、前記気密材は、前記レール部に隣接して前記下枠本体に設けられた気密材保持部、または前記レール部に設けられた気密材保持部に着脱可能に保持され、前記レール部、気密材、およびレール側方上面部材の各々の上端が略同一高さ位置に設けられている構成としてもよい。
【００１３】
このような構成によれば、前述の引違い窓と同様の効果を有するバリアフリー対応の片引き窓とすることができる。すなわち、レール部を取り外すことなくレール部側方の下枠内を清掃できるので、清掃作業を安心して実行することができ、レール側方上面部材に各種のデザインを施す、あるいはデザイン性を有する樹脂で形成する等の手段で、下枠の外観意匠性を向上させることができる。
【００１４】
この際、本発明のサッシ窓では、前記下枠本体は、前記レール部よりも室内側に設けられて上方に開口した室内側凹溝部と、前記レール部よりも室外側に設けられて上方に開口した室外側凹溝部とを有し、前記室内側および室外側の凹溝部には、それぞれ室内側および室外側の上面部材が着脱自在に取り付けられ、これら室内外の各上面部材の上端が前記レール部、気密材、およびレール側方上面部材の上端と略同一高さ位置に設けられていることが好ましい。
このような構成によれば、室内側および室外側の上面部材の上端がレール部、気密材、およびレール側方上面部材の上端と略同一高さ位置に設けられているので、下枠上面のフラット感をより一層向上させることができる。
また、これら室内外の各上面部材を取り外すことで、下枠本体の室内外の凹溝部内を清掃することができる。
【００１５】
さらに、本発明のサッシ窓では、前記障子は、前記固定面材の室外側に開閉自在に支持されており、前記下枠上面において、室内側から室外側に向かって前記室内側上面部材、レール側方上面部材、レール部、気密材、室外側上面部材の順に各部材が設けられており、前記気密材と前記室外側上面部材との間には、隙間が形成され、この隙間には、前記障子下端に設けられた垂下片が挿入され、この垂下片の室内側側面に前記気密材が当接していることが好ましい。
【００１６】
また、本発明のサッシ窓では、前記障子は、前記固定面材の室内側に開閉自在に支持されており、前記下枠上面において、室内側から室外側に向かって前記室内側上面部材、レール部、気密材、レール側方上面部材、室外側上面部材の順に各部材が設けられており、前記気密材と前記レール側方上面部材との間には、隙間が形成され、この隙間には、前記障子下端に設けられた垂下片が挿入され、この垂下片の室内側側面に前記気密材が当接していてもよい。
【００１７】
これらの構成によれば、固定面材の室外側に障子が支持された外動片引き窓や、固定面材の室内側に障子が支持された内動片引き窓において、前述の引違い窓と同様に、下枠と障子との間の気密ラインを形成できるとともに、最小限の隙間寸法に設定することで、下枠上面をさらにフラットに形成することができる。
【００１８】
以上において、本発明のサッシ窓では、前記室外側上面部材の上面には、網戸を案内する網戸案内部が設けられていることが好ましい。
このような構成によれば、室外側上面部材が網戸レールとしての機能も備えるので、別途下枠に網戸レールを形成する必要がなく、下枠のフラット感を損なわずに網戸を設けることができる。
【００１９】
また、本発明のサッシ窓では、前記レール部は、前記下枠の長手方向略全長に渡る長さ寸法を有して分割せずに形成され、前記下枠本体に設けられたレール支持部に着脱可能に支持されていることが好ましい。
このような構成によれば、レール部が下枠の長手方向に関して途中に継ぎ目のない１本の連続した部材から構成されるので、障子を開閉操作する際に、戸車が継ぎ目に引っ掛かってガタついたり音が鳴ったりすることなく、障子の戸車を円滑に案内することができる。
また、レール部が着脱自在になっているので、レール部が傷ついた場合に、レール部を交換することができる。また、障子の戸車の形態に応じて、レール部の形態（凸状や凹状など）を変更した場合にも、下枠本体の形状を変更する必要がなく、レール部のみを交換するだけで対応することができる。
【００２０】
さらに、本発明のサッシ窓では、前記各上面部材の少なくとも１つは、再生木から形成されていることが好ましい。
ここで、再生木とは、木粉と樹脂を混練して成形されたもの等を意味し、合成木などとも呼ばれているものである。
このような構成によれば、レール間上面部材またはレール側方上面部材や、室内外の上面部材を再生木から形成することで、室内の床をフローリング等の木質床としたり、屋外に木質のデッキ材等を設置した場合に、これらの木質床やデッキ材等に下枠の外観を調和させることができ、より一層外観意匠性を向上させることができる。また、再生木を用いることで、天然木を用いた場合の反りや雨水による腐食等を防止して耐久性を高めた上面部材を形成することができる。
【００２１】
また、本発明のサッシ窓では、前記各上面部材の少なくとも１つは、前記下枠の長手方向途中位置で少なくとも二分割されていることが好ましい。
ここで、少なくとも二分割とは、下枠全長の略中間位置で上面部材を２つに分割してもよく、また、３つ以上に分割した各部材から上面部材を構成してもよい。
このような構成によれば、障子を窓枠の左右一方側に移動させた状態で、分割された他方側の上面部材を脱着でき、また、障子を他方側に寄せれば、一方側の上面部材を脱着できるので、窓枠から障子を外さなくても上面部材を容易に脱着することができる。
【００２２】
さらに、本発明のサッシ窓では、前記レール部には、上方に突出した戸車案内部が形成され、この戸車案内部の上端が前記気密材の上端よりも上方に設けられていることが好ましい。
このような構成によれば、上方に突出した凸状の戸車案内部によって、外周に凹溝を有する戸車を案内するようにレール部を構成し、この戸車案内部を気密材の上端よりも上方に設けることで、下枠の上面を通行する際の足裏や車いすの車輪が気密材に直接接触することが避けられ、気密材の摩耗や変形等を防止し、長寿命化することができる。
なお、ここでは戸車案内部を凸状に形成したが、これに限らず、レール部の上面を凹ませた凹状の戸車案内部を採用することも可能である。
【００２３】
また、本発明のサッシ窓では、前記下枠本体の室内側には、当該下枠本体を室内床に固定するための固定部材が着脱可能に設けられていることが好ましい。
このような構成によれば、通常下枠本体に一体に形成される固定部材を着脱可能にしたことで、この固定部材に各種のデザインを施す、あるいはデザイン性を有する樹脂で形成する等の手段で、下枠の外観意匠性をさらに向上させることができる。
【００２４】
また、本発明のサッシ窓では、前記下枠本体は、室内側に配置される室内部材と、室外側に配置される室外部材と、これら室内部材および室外部材を連結する断熱部材とを備えて構成されていることが好ましい。
このような構成によれば、室内部材と室外部材とが断熱部材で連結された断熱サッシを、下枠上面がフラットに形成されたバリアフリー対応のサッシ窓に適用することができる。
【発明を実施するための最良の形態】
【００２５】
以下、本発明の各実施形態を図面に基づいて説明する。
〔第１実施形態〕
図１は、本発明の第１実施形態に係るサッシ窓である引違い窓１０が設けられた建物の一部を示す断面図である。図２、図３は、引違い窓１０を示す縦断面図、および横断面図である。
【００２６】
図１〜３において、建物の外壁部分に設けられた引違い窓１０は、建物の室内空間と室外空間とを仕切るもので、気密性や水密性、遮音性等について所定の性能を有している。建物は、例えば戸建て住宅であって、引違い窓１０の室外にはテラス１が設けられており、このテラス１には、再生木等からなるデッキ材２が適宜な支持材上に設置されている。そして、このデッキ材２の上面は、室内床面３と略同一の高さ位置となっている。引違い窓１０では、後述する下枠１２の上面がデッキ材２および室内床面３と略同一の高さ位置でフラットに形成されている。従って、居住者が引違い窓１０を通って室内外間を往来する際に、室内外床レベルの段差がないので上り下りする必要がなく、楽に出入りできるとともに、車いすを利用する居住者であっても容易に出入りできるようになっている。すなわち、引違い窓１０は、室内外の床段差を小さくした、バリアフリータイプ（ユニバーサルデザイン）の掃出し窓である。
【００２７】
引違い窓１０は、上枠１１、下枠１２、および左右の縦枠１３を四周枠組みした窓枠１４と、この窓枠１４の内側に開閉自在に支持された室内外一組の障子１５とを備えて構成されている。窓枠１４は、建物の外壁や柱等の躯体に固定されている。障子１５は、上框１６、下框１７、および左右の縦框１８を四周框組みした内部に、ガラスパネル１９を嵌め込んで構成されている。また、一組の障子１５の室外側には、網戸２０が窓枠１４内に開閉自在に支持されている。網戸２０は、四周枠組みされた網戸枠２１と、この網戸枠２１に固定されたネット２２とを有して構成されている。一組の障子１５は、室内側の障子１５Ａと、室外側の障子１５Ｂとが、窓枠１４の見付け方向（図３中、左右方向）略中央位置の召合せ部分２３で重なって閉じるようになっている。そして、室内外の障子１５Ａ，１５Ｂは、召合せ部分２３の縦框（召合せ框）１８Ａ，１８Ｂに設けられた引戸錠であるクレセント２４により施錠できるようになっている。さらに、室内外の障子１５Ａ，１５Ｂにおける戸先側の縦框（戸先框）１８Ｃ，１８Ｄには、各障子１５Ａ，１５Ｂを開閉操作するためのハンドル２５が取り付けられている。
【００２８】
窓枠１４の上枠１１、下枠１２、および縦枠１３は、それぞれの室内側に配置される室内部材１１１，１２１，１３１と、室外側に配置される室外部材１１２，１２２，１３２と、これらアルミ押出形材製の室内部材１１１，１２１，１３１および室外部材１１２，１２２，１３２を連結する断熱部材１１３，１２３，１３３とを備えて構成されている。また、障子１５の上框１６、下框１７、および縦框１８Ａ，１８Ｃ，１８Ｄは、それぞれの室内側に配置される室内部材１６１，１７１，１８１と、室外側に配置される室外部材１６２，１７２，１８２と、これらアルミ押出形材製の室内部材１６１，１７１，１８１および室外部材１６２，１７２，１８２を連結する断熱部材１６３，１７３，１８３とを備えて構成されている。すなわち、引違い窓１０は、窓枠１４および障子１５における室内外間の熱の伝達が抑制された断熱サッシから構成されており、冷暖房効率に優れるとともに、冬期における結露の発生が防止できるようになっている。
【００２９】
次に、引違い窓１０における下枠１２の構造について、図４〜８に基づいて詳しく説明する。図４は、下枠１２を示す縦断面図である。図５、６は、それぞれ下枠１２を示す斜視図、および分解斜視図である。図７、８は、それぞれ下枠１２の中央部分を断面して示す斜視図、および分解斜視図である。
【００３０】
図４〜８において、下枠１２は、建物に固定される下枠本体１２４と、障子１５の戸車１７４を案内する室内側および室外側のレール部３０（３０Ａ，３０Ｂ）と、障子１５に当接する室内側および室外側の気密材３１（３１Ａ，３１Ｂ）と、室内外の各レール部３０Ａ，３０Ｂ間に着脱自在に設けられたレール間上面部材３２と、室内側レール部３０Ａよりも室内側に着脱自在に設けられた室内側上面部材３３と、室外側レール部３０Ｂよりも室外側に着脱自在に設けられた室外側上面部材としての網戸レール３４とを備えて構成されている。また、下枠１２の室内側には、当該下枠１２を室内の床材に固定するための固定部材であるアングル材３５が下枠本体１２４の室内部材１２１に対して着脱自在に設けられている。
【００３１】
レール部３０はアルミ押出形材製であり、気密材３１はサーモポリオレフィン（ＴＰＯ）製であって、それぞれ下枠本体１２４に着脱可能に取り付けられている。なお、気密材３１の材質は、特に限定されない。
そして、レール部３０の上面には、上方に突出した戸車案内部３０１が形成されており、この戸車案内部３０１の上端は、気密材３１の上面よりも上方に設けられている。また、網戸レール３４の上面には、網戸２０の戸車を案内する網戸案内部としてのガイド溝３４１が形成されている。
ここで、レール間上面部材３２、室内側上面部材３３、網戸レール３４、およびアングル材３５の少なくとも上面に、木目模様のラミネートフィルムを貼り付けてもよい。
【００３２】
また、レール間上面部材３２、室内側上面部材３３、および網戸レール３４の上面は、略水平に形成されるとともに、室内外のレール部３０Ａ，３０Ｂ、気密材３１Ａ，３１Ｂ、およびアングル材３５と略同一高さ位置に設けられている。つまり、下枠本体１２４には、室内側から室外側に向かって、アングル材３５、室内側上面部材３３、室内側レール部３０Ａ、室内側気密材３１Ａ、レール間上面部材３２、室外側レール部３０Ｂ、室外側気密材３１Ｂ、および網戸レール３４の順に取り付けられており、これらの上面が略フラットに形成されている。
【００３３】
室内側気密材３１Ａとレール間上面部材３２との間、および室外側気密材３１Ｂと網戸レール３４との間には、それぞれ隙間が形成されており、これらの隙間に室内外の障子１５Ａ，１５Ｂの下框１７に形成された垂下片１７５が挿入されている。そして、これらの垂下片１７５の室内側側面に室内外の気密材３１Ａ，３１Ｂの先端が当接して気密ラインが形成されるようになっている。このように室内外の各気密材３１Ａ，３１Ｂの室外側に設けられる隙間の幅寸法は、障子１５の下框１７の垂下片１７５を挿通できる必要最低限の寸法になっていればよい。
また、室内側上面部材３３、室内側レール部３０Ａ、および室内側気密材３１Ａは、互いに隙間なく接触して取り付けられ、レール間上面部材３２、室外側レール部３０Ｂ、および室外側気密材３１Ｂは、互いに隙間なく接触して取り付けられている。
【００３４】
下枠本体１２４は、前述の室内部材１２１、室外部材１２２、および断熱部材１２３から構成されている。室内部材１２１の上部室内端には、上方に突出した室内側側壁部１２１Ａが形成され、この室内側側壁部１２１Ａに対向して室外側には、室内側レール部３０Ａを支持する室内側レール支持部１２１Ｂと、この室内側レール支持部１２１Ｂの室外側に隣接して室内側気密材３１Ａを保持する室内側気密材保持部１２１Ｃとが形成されている。そして、室内側側壁部１２１Ａと室内側レール支持部１２１Ｂとの間で上方に開口した室内側凹溝部１２１Ｄに室内側上面部材３３が取り付けられている。また、室内側側壁部１２１Ａの上端には、アングル材３５が係合可能になっている。
【００３５】
下枠本体１２４における室外部材１２２の上部室外端には、上方に突出した室外側側壁部１２２Ａが形成され、この室外側側壁部１２２Ａに対向して室内側には、室外側レール部３０Ｂを支持する室外側レール支持部１２２Ｂと、この室外側レール支持部１２２Ｂの室外側に隣接して室外側気密材３１Ｂを保持する室外側気密材保持部１２２Ｃとが形成されている。そして、室外側側壁部１２２Ａと室外側気密材保持部１２２Ｃとの間で上方に開口した室外側凹溝部１２２Ｄに網戸レール３４が取り付けられている。また、室外側レール支持部１２２Ｂの室内側には、支持部材３６が係止されており、この支持部材３６上にレール間上面部材３２が取り付けられている。
【００３６】
以上のように下枠本体１２４に設けられた室内外のレール支持部１２１Ｂ，１２２Ｂは、上方に開口した凹溝状に形成されており、その開口部分に設けられた突起と、室内外のレール部３０Ａ，３０Ｂ下端に設けた係止片とが係合可能になっている。このように係合させることで、レール部３０Ａ，３０Ｂが下枠本体１２４に支持され、容易に外れないようになっている。そして、レール部３０Ａ，３０Ｂは、その室内側側面に形成された溝部にドライバ等の工具を差し込み、上方に持ち上げることで、レール支持部１２１Ｂ，１２２Ｂから取り外すことができるようになっている。また、室内外の気密材保持部１２１Ｃ，１２２Ｃは、上方に開口した断面略半円形の凹溝状に形成されている。そして、気密材３１Ａ，３１Ｂは、その下部に設けた略円柱状の係止部を気密材保持部１２１Ｃ，１２２Ｃに圧入することで、下枠本体１２４に保持され、上方に引っ張り上げることで、気密材保持部１２１Ｃ，１２２Ｃから取り外すことができるようになっている。
【００３７】
次に、図５、６に示すように、室内外のレール部３０Ａ，３０Ｂおよび気密材３１Ａ，３１Ｂは、それぞれ下枠１２の長手方向略全長に渡る長さ寸法を有し、途中で分割されず一体に形成されている。
また、網戸レール３４は、断面略コ字形のアルミ押出形材製であって、下枠１２の長手方向略全長に渡る長さ寸法を有して一体に形成され、その両端部が下枠本体１２４の室外部材１２２にビス止め固定されている。
【００３８】
レール間上面部材３２は、下枠１２の長手方向途中位置で四分割されており、図５、６中、下方左側から第１〜第４のレール間上面部材３２Ａ，３２Ｂ，３２Ｃ，３２Ｄの４つの部材から構成されている。
そして、障子１５を閉じた際にその上面が室内側空間に表出する（位置する）レール間上面部材３２Ａ，３２Ｂは、角形中空形状の樹脂押出形材製のレール間上面部材本体部３２１と、このレール間上面部材本体部３２１の両端に取り付けられた取手部３２２とを有して形成されている。
一方、障子１５を閉じた際にその上面が室外側空間に表出する（位置する）レール間上面部材３２Ｃ，３２Ｄは、角形中空形状のアルミ押出形材製のレール間上面部材本体部３２１と、このレール間上面部材本体部３２１の両端に取り付けられた取手部３２２とを有して形成されている。
取手部３２２は、樹脂製であって、レール間上面部材３２を着脱する際に手で掴むための凹みを有している。
なお、樹脂押出形材製のレール間上面部材３２Ａ，３２Ｂは、アルミ製の支持部材３６とビス等で連結することで温度変化や経年変化等によって生じる樹脂特有の伸びや縮を抑えることができるとともに、レール間上面部材３２Ａ，３２Ｂの上方からかかる荷重を支持部材３６で支えるように構成されている。
また、アルミ押出形材製のレール間上面部材３２Ｃ，３２Ｄは、レール間上面部材３２Ａ，３２Ｂと同様に、支持部材３６を介して下枠本体１２４に取り付けてもよいし、レール間上面部材３２Ｃ，３２Ｄと支持部材３６とを一体的に形成してもよい。
【００３９】
第１のレール間上面部材３２Ａは、一端側（図５、６中、下方左側）の取手部３２２を下枠本体１２４に設けたコーナー部材３７に当接し、他端側の取手部３２２を第２のレール間上面部材３２Ｂの取手部３２２に当接して取り付けられている。第２のレール間上面部材３２Ｂは、図７、８に示すように、第１のレール間上面部材３２Ａと反対側の取手部３２２を下枠本体１２４に設けた風止板３８に当接して取り付けられている。第３のレール間上面部材３２Ｃは、一端側の取手部３２２を風止板３８に当接し、他端側の取手部３２２を第４のレール間上面部材３２Ｄの取手部３２２に当接して取り付けられている。第４のレール間上面部材３２Ｄは、第３のレール間上面部材３２Ｃと反対側の取手部３２２を縦枠１３側面に当接して取り付けられている。そして、レール間上面部材３２は、室内外の障子１５Ａ，１５Ｂを窓枠１４のいずれか一方側に寄せた状態で、他方側の第１のレール間上面部材３２Ａ（または第４のレール間上面部材３２Ｄ）を取り外し、次いで第２のレール間上面部材３２Ｂ（または第３のレール間上面部材３２Ｃ）を他方側にスライドさせて取り外すことができるようになっている。
【００４０】
室内側上面部材３３は、下枠１２の長手方向途中位置で二分割されており、図５、６中、下方左側から第１および第２の室内側上面部材３３Ａ，３３Ｂの２つの部材から構成されている。各室内側上面部材３３Ａ，３３Ｂは、断面略Ｌ字形のアルミ押出形材製の室内側上面部材本体部３３１と、この室内側上面部材本体部３３１の縦枠１３側端部に取り付けられた取手部３３２とを有して形成されている。そして、第１および第２の室内側上面部材３３Ａ，３３Ｂは、図７、８に示すように、互いの下枠中央側端部を当接するとともに、図５、６に示すように、第１の室内側上面部材３３Ａの取手部３３２をコーナー部材３７に当接し、第２の室内側上面部材３３Ｂの取手部３２２をコーナー部材３９に当接して取り付けられている。そして、取手部３３２は、その一部の押し下げ操作により他の一部が上方に突出するようになっており、この突出した部分を引き上げることで、室内側上面部材３３を取り外すことができるようになっている。
【００４１】
以上において、レール部３０は、上方に突出した凸状の戸車案内部３０１（図４）を有して形成されていたが、これに限らず、図９に示すように、上面を凹ませた凹状の戸車案内部３０２を有するレール部３０を採用してもよい。
すなわち、凸状または凹状いずれかの戸車案内部３０１，３０２を選択することができ、いずれのレール部３０を用いた場合でも、レール支持部１２１Ｂ，１２２Ｂの形状は変わらず、下枠本体１２４を共通化できるようになっている。
【００４２】
このような本実施形態によれば、以下のような効果がある。
（１）すなわち、下枠１２に取り付けた室内外の各レール部３０Ａ，３０Ｂ、室内外の各気密材３１Ａ，３１Ｂ、レール間上面部材３２、室内側上面部材３３、および網戸レール３４の上端が略同一高さ位置に設けられているので、下枠１２の上面をフラットに形成することができ下枠１２の上面を足で踏んだ際の違和感や、車いすで通過する際のがたつき等を減少させて、バリアフリー対応可能な引違い窓１０を構成することができる。
【００４３】
（２）また、レール間上面部材３２や室内側上面部材３３、網戸レール３４を取り外すことで、レール部３０を取り外すことなくレール部３０間や室内外の凹溝部１２１Ｄ，１２２Ｄの清掃ができるので、清掃時に障子１５が脱落するおそれもなく、清掃作業を安心して実行することができる。
【００４４】
（３）さらに、下枠１２の外観上目立つ部分であるレール間上面部材３２や室内側上面部材３３、網戸レール３４を、障子１５を支持するレール部３０と別部材で構成したので、これらの各部材３２，３３，３４で重い障子１５を支持する必要がなく、かつ障子１５による傷もつかないため、これらの各部材３２，３３，３４には強度や耐摩耗性等がさほど要求されず、木目模様のラミネートフィルムを貼り付ける等の各種のデザインを施す、あるいはデザイン性を有する樹脂で各部材３２，３３，３４を形成することができ、下枠１２の外観意匠性を向上させることができる。
【００４５】
（４）また、レール部３０が下枠１２の長手方向に関して途中に継ぎ目のない１本の連続した部材から構成されるので、障子１５を開閉操作する際に、戸車１７４が継ぎ目に引っ掛かってガタついたり音が鳴ったりすることなく、障子１５の戸車１７４を円滑に案内することができる。
【００４６】
（５）さらに、レール部３０が下枠本体１２４に対して着脱自在になっているので、レール部３０が傷ついた場合であっても、レール部３０を交換することができる。また、障子１５の戸車１７４の形態に応じて、レール部３０の戸車案内部３０１，３０２を凸状や凹状などに変更した場合にも、下枠本体１２４の形状を変更する必要がなく、レール部３０のみを交換するだけで対応することができる。
【００４７】
（６）また、室内外の気密材３１Ａ，３１Ｂの室外側に各々隙間が形成され、これらの隙間に挿入された障子１５の垂下片１７５に気密材３１Ａ，３１Ｂが当接することで、下枠１２と障子１５との間の気密ラインが形成される。そして、気密材３１Ａ，３１Ｂに沿って設けられる隙間の幅寸法としては、垂下片１７５が挿入可能な最小限の寸法を有していればよく、最小限の隙間を設けるだけで気密ラインを形成することができるので、大きな隙間や凹凸を設ける必要がないことから、下枠１２上面をさらにフラットに形成することができる。
【００４８】
（７）さらに、気密材３１Ａ，３１Ｂに沿った隙間に障子１５の垂下片１７５を挿入することで、窓の外観上、障子１５下端縁と下枠１２上面との隙間が見えず、外観意匠性が向上するとともに、障子１５下端と下枠１２との間に室外側からバール等の工具を差し込んで障子１５を外す行為が防止でき、防犯性を向上させることができる。
【００４９】
（８）また、気密材３１Ａ，３１Ｂが下枠１２の上面側から着脱可能に設けられているので、気密材３１Ａ，３１Ｂが摩耗した場合であっても、下枠１２の上方から容易に気密材３１Ａ，３１Ｂを交換することができる。
【００５０】
（９）また、レール間上面部材３２が下枠１２の長手方向途中位置で四分割されているので、障子１５を窓枠１４のいずれか一方側に寄せるだけで、障子１５を外さなくてもレール間上面部材３２を容易に脱着することができる。
【００５１】
（10）また、図４に示すように、レール部３０の戸車案内部３０１を凸状に形成し、気密材３１の上端よりも上方に設ければ、下枠１２の上面を通行する際の足裏や車いすの車輪が気密材３１に直接接触することが避けられ、気密材３１の摩耗や変形等を防止し、長寿命化することができる。一方、図９に示すように、レール部３０の戸車案内部３０２を凹状に形成し、レール部３０および気密材３１の上端をフラットにすれば、気密材３１を滑り止めとして機能させることができる。
【００５２】
（11）また、室内部材１２１と室外部材１２２とが断熱部材１２３で連結された下枠本体１２４において、障子１５を閉じた際に室内側空間に位置する室内側のレール部３０Ａ、室内側上面部材３３、および気密材３１Ａを室内部材１２１に設け、障子１５を閉じた際に室内側空間に位置するレール間上面部材３２Ａ，３２Ｂを樹脂製とすることで、断熱サッシである引違い窓１０の断熱効果を確実にすることができる。
【００５３】
〔第２実施形態〕
次に、本発明の第２実施形態に係るサッシ窓について、図１０に基づいて説明する。図１０は、本実施形態の下枠１２を示す縦断面図である。
本実施形態の下枠１２は、レール間上面部材、室内側上面部材、網戸レール、およびアングル材の構成が前述の第１実施形態と相違し、それ以外の構成は略同様である。以下、相違点について詳しく説明する。
【００５４】
図１０において、下枠１２の下枠本体１２４上には、レール間上面部材４２、室内側上面部材４３、および室外側上面部材としての網戸レール４４が着脱自在に取り付けられており、下枠１２の室内側には、アングル材４５が設けられている。これらのレール間上面部材４２、室内側上面部材４３、網戸レール４４、およびアングル材４５は、木粉を樹脂で固めて成形した再生木製であって、室内の床材（例えば、フローリング等の木質床）やテラス１のデッキ材２と外観が調和するようになっている。
そして、網戸レール４４の上面には、網戸２０の戸車を案内する網戸案内部としてのアルミ形材製のガイド部材４４１が設けられている。また、網戸レール４４は、下枠本体１２４の室外側凹溝１２２Ｄに係合するアルミ形材製の支持部材４４２上に支持されている。
【００５５】
このような本実施形態によれば、前述の効果と略同様の効果に加えて、以下の効果を奏することができる。
（12）すなわち、レール間上面部材４２、室内側上面部材４３、網戸レール４４、およびアングル材４５を再生木から形成したので、室内の床材やテラス１のデッキ材２等に下枠の外観を調和させることができ、より一層外観意匠性を向上させることができる。
【００５６】
（13）また、再生木を用いることで、天然木を用いた場合の反りや雨水による腐食等を防止して耐久性を高めることができる。
【００５７】
〔第３実施形態〕
次に、本発明の第３実施形態に係るサッシ窓である片引き窓５０について、図１１に基づいて説明する。図１１は、片引き窓５０の下枠５２を示す縦断面図である。
片引き窓５０は、前記第１、２実施形態と同様の窓枠内側に１つの障子１５が開閉自在に支持された外動タイプの片引き窓である。つまり、図示しない固定面材である固定障子が窓枠室内側に固定され、この固定障子の室外側に障子１５が支持されている。
下枠５２は、前記第１、２実施形態と同様に、室内部材５２１、室外部材５２２、および断熱部材５２３を有する下枠本体５２４を有している。そして、下枠本体５２４の室内部材５２１には、室内側側壁部５２１Ａと室内側凹溝部５２１Ｄとが形成され、室外部材５２２には、室外側側壁部５２２Ａと室外側凹溝部５２２Ｄとが形成されている。また、室内側側壁部５２１Ａの上端には、アングル材（固定部材）６５が係合され、このアングル材６５により下枠本体５２４が室内床に固定されている。すなわち、本実施形態の下枠本体５２４は、前記第１、２実施形態の引違い窓１０における下枠本体１２４と共通化されている。
【００５８】
下枠本体５２４の上部には、障子１５の戸車１７４を案内するレール部６０と、障子１５に当接する気密材６１と、レール部６０の室内側に沿って着脱自在に設けられたレール側方上面部材６２と、室内側凹溝部５２１Ｄに着脱自在に設けられた室内側上面部材６３と、室外側凹溝部５２２Ｄに着脱自在に設けられた室外側上面部材としての網戸レール６４とが取り付けられている。これらの各部材は、室内側から室外側に向かって、室内側上面部材６３、レール側方上面部材６２、レール部６０、気密材６１、および網戸レール６４の順に取り付けられており、これらの上面が略同一高さ位置（略フラット）に設けられている。そして、気密材６１と網戸レール６４との間には、障子１５の垂下片１７５が挿入可能な隙間が形成されている。
【００５９】
レール側方上面部材６２は、角形中空形状の樹脂押出形材製であって、アルミ製の支持部材６６にビス止め固定されている。また、レール側方上面部材６２の両端には、前記第１、２実施形態と同様の取手部が取り付けられている。そして、レール側方上面部材６２は、障子１５を閉じた際に障子１５の下方に位置する部分において、少なくとも二分割されており、障子１５を開けた状態で取り外すことができるようになっている。
また、室内側上面部材６３は、断面略Ｔ字形のアルミ押出形材製であって、前記実施形態において室内側レール部３０Ａが支持されていたレール支持部１２１Ｂに係合され、室内側凹溝部５２１Ｄ上方を覆って取り付けられている。なお、室内側上面部材６３は、樹脂押出形材製でもよい。また、レール側方上面部材６２と室内側上面部材６３とを一体の部材から形成してもよい。
また、網戸レール６４は、前記第１、２実施形態の網戸レール３４と同様の構成を備えている。
【００６０】
このような本実施形態によれば、前述の効果と略同様の効果を備えた外動障子タイプの片引き窓５０を形成することができる。
（14）また、前記第１、２実施形態の引違い窓１０と下枠本体１２４，５２４が共通化されているので、その上部に取り付けるレール部３０，６０や気密材３１，６１、各上面部材３２，３３，３４，６２，６３，６４等の構成を変更するだけで、下枠本体１２４，５２４の構造を変更する必要がなく、部品点数を削減することができる。
【００６１】
〔第４実施形態〕
次に、本発明の第４実施形態に係るサッシ窓である片引き窓７０について、図１２に基づいて説明する。図１２は、片引き窓７０の下枠７２を示す縦断面図である。
片引き窓７０は、前記第３実施形態の片引き窓５０が外動障子を有するのに対し、窓枠室外側に固定された固定障子の室内側に障子１５が支持された内動障子タイプの片引き窓である点が相違している。その他の構成は、前記第３実施形態と略同様である。
下枠７２は、前記第１〜３実施形態と同様に、室内部材７２１、室外部材７２２、および断熱部材７２３を有する下枠本体７２４を有している。そして、下枠本体７２４の室内部材７２１には、室内側側壁部７２１Ａと室内側凹溝部７２１Ｄとが形成され、室外部材７２２には、室外側側壁部７２２Ａと室外側凹溝部７２２Ｄとが形成されている。また、室内側側壁部７２１Ａの上端には、アングル材（固定部材）８５が係合され、このアングル材８５により下枠本体７２４が室内床に固定されている。すなわち、本実施形態の下枠本体７２４は、前記第１〜３実施形態の引違い窓１０および片引き窓５０における下枠本体１２４，５２４と共通化されている。
【００６２】
下枠本体７２４の上部には、障子１５の戸車１７４を案内するレール部８０と、障子１５に当接する気密材８１と、レール部８０の室外側に沿って着脱自在に設けられたレール側方上面部材８２と、室内側凹溝部７２１Ｄに着脱自在に設けられた室内側上面部材８３と、室外側凹溝部７２２Ｄに着脱自在に設けられた室外側上面部材としての網戸レール８４とが取り付けられている。これらの各部材は、室内側から室外側に向かって、室内側上面部材８３、レール部８０、気密材８１、レール側方上面部材８２、および網戸レール８４の順に取り付けられており、これらの上面が略同一高さ位置（略フラット）に設けられている。そして、気密材８１とレール側方上面部材８２との間には、障子１５の垂下片１７５が挿入可能な隙間が形成されている。
【００６３】
レール側方上面部材８２は、アルミ押出形材製であって、前記第１、２実施形態におけるレール支持部１２２Ｂおよび気密材保持部１２２Ｃの上方まで室外側に延長して形成され、下枠本体７２４の室外部材７２２に係合されている。
また、室内側上面部材８３および網戸レール８４は、前記第１、２実施形態の室内側上面部材３３および網戸レール３４と同様の構成を備えている。
なお、レール側方上面部材８２と網戸レール８４とを一体の部材から形成してもよい。
【００６４】
このような本実施形態によれば、前述の効果と略同様の効果を備えた内動障子タイプの片引き窓７０を構成することができる。
（15）さらに、前記第１、２実施形態の引違い窓１０や前記第２実施形態の外動障子タイプの片引き窓５０と下枠本体１２４，５２４，７２４が共通化されているので、引違い形式や、外動または内動片引き形式等のサッシ窓の形式に関わらず、共通の下枠本体１２４，５２４，７２４が利用でき、より一層の部品点数削減が実現できる。
【００６５】
〔第５実施形態〕
次に、本発明の第５実施形態に係るサッシ窓である引違い窓１０Ａについて、図１３〜図１６に基づいて説明する。
図１３は、本発明の第５実施形態に係るサッシ窓である引違い窓１０Ａを示す縦断面図である。図１４は、引違い窓１０Ａを示す横断面図である。図１５、図１６は、それぞれ引違い窓１０Ａの下枠１２Ａを示す縦断面図、および斜視図である。
図１３〜図１６において、引違い窓１０Ａは、前記第１実施形態の引違い窓１０と比較して下枠１２Ａの構造が相違している。その他の構成は、第１実施形態と略同様である。
【００６６】
引違い窓１０Ａの下枠１２Ａは、室内側に配置される室内部材１２５と、室外側に配置される室外部材１２６と、これらアルミ押出形材製の室内部材１２５および室外部材１２６を連結する断熱部材１２７とからなる下枠本体１２８を備えている。そして、下枠本体１２８には、障子１５の戸車１７４を案内する室内側および室外側のレール部３０（３０Ｃ，３０Ｄ）と、これら室内外の各レール部３０Ｃ，３０Ｄの室外側側面に取り付けられて障子１５に当接する室内側および室外側の気密材３１（３１Ｃ，３１Ｄ）と、室内外の各レール部３０Ｃ，３０Ｄ間に着脱自在に設けられたレール間上面部材３２Ｅと、室内側レール部３０Ｃよりも室内側に着脱自在に設けられた室内側上面部材３３Ｃと、室外側レール部３０Ｄよりも室外側に着脱自在に設けられた室外側上面部材としての網戸レール３４Ａとが設けられている。
【００６７】
下枠本体１２８の室内部材１２５は、室内側にて上下に延びる室内側側壁部１２５Ａと、この室内側側壁部１２５Ａの上端縁から室内側に延びる上面部１２５Ｂと、室内側側壁部１２５Ａの上下方向略中間位置から室外側に延びる水平面部１２５Ｃと、この水平面部１２５Ｃの室外側縁から上方に延びて室内側側壁部１２５Ａに対向する室内側レール支持部１２５Ｄとを有して形成されている。そして、室内側側壁部１２５Ａの下端縁と、室内側側壁部１２５Ａの下端部から室内側に延びた突片と、水平面部１２５Ｃの室外側縁から下方に延びた垂下片とが建物開口部に載置され、上面部１２５Ｂが室内床面に係合されて室内部材１２５は支持されている。そして、室内側側壁部１２５Ａ、水平面部１２５Ｃおよび室内側レール支持部１２５Ｄによって上方に開口した室内側凹溝部１２５Ｅが形成されている。室内側レール支持部１２５Ｄは、水平面部１２５Ｃから上方に立ち上がって断面略Ｔ字形（または略逆Ｌ字形）に形成された基端部１２５Ｆと、この基端部１２５Ｆ上面からさらに上方に立ち上がったレール係合部１２５Ｇとを有して形成されている。そして、室内側レール支持部１２５Ｄのレール係合部１２５Ｇに室内側レール部３０Ｃが係合されるようになっている。
【００６８】
下枠本体１２８の室外部材１２６は、上下に延びて建物躯体等に固定される固定面部１２６Ａと、この固定面部１２６Ａから室外側に延びて下がり傾斜を有した傾斜面部１２６Ｂと、この傾斜面部１２６Ｂの下側に対向して設けられた底面部１２６Ｃと、傾斜面部１２６Ｂおよび底面部１２６Ｃの室外側端に連続して上下に延びる支持側壁部１２６Ｄとを有して形成されている。さらに、室外部材１２６は、支持側壁部１２６Ｄの二股に分かれた上端を連結して室内外に延びる支持上面部１２６Ｅと、この支持上面部１２６Ｅの室外側端に連続して上下に延びる室外側側壁部１２６Ｆと、支持上面部１２６Ｅの室内寄りの上面から上方に立ち上がり室外側レール部３０Ｄを係合するレール係合部１２６Ｇとを有している。そして、室外側側壁部１２６Ｆ、支持上面部１２６Ｅおよびレール係合部１２６Ｇによって上方に開口した室外側凹溝部１２６Ｈが形成されている。
【００６９】
また、室内側レール部３０Ｃと室内側上面部材３３Ｃとの間、および室内側の気密材３１Ｃとレール間上面部材３２Ｅとの間には、それぞれ隙間が形成されており、これらの隙間には、室内側障子１５Ａにおける下框１７に形成された室内外の垂下片１７５がそれぞれ挿入されている。これと同様に、室外側レール部３０Ｄとレール間上面部材３２Ｅとの間、および室外側の気密材３１Ｄと網戸レール３４Ａとの間には、それぞれ隙間が形成されており、これらの隙間には、室外側障子１５Ｂにおける下框１７に形成された室内外の垂下片１７５がそれぞれ挿入されている。これらの隙間寸法は、垂下片１７５を挿入するための最小限の寸法に設定されている。そして、室内外の障子１５Ａ，１５Ｂの各々における室外側垂下片１７５の室内側側面には、室内外の気密材３１Ｃ，３１Ｄがそれぞれ当接するようになっている。
【００７０】
次に、レール間上面部材３２Ｅは、アルミ押出形材製の中空部材であって、下枠本体１２８における室外部材１２６の固定面部１２６Ａ上端部分、および支持上面部１２６Ｅの室内側端に形成された鉤状の支持片部１２６Ｉに係合されている。また、レール間上面部材３２Ｅは、下枠１２Ａの長手方向途中位置で複数に分割されている。そして、レール間上面部材３２Ｅの縦枠１３側の端部には、図１６に示すような取手部３２３が取り付けられており、この取手部３２３を縦枠１３、あるいは縦枠１３と下枠１２Ａとの交差部に設けたコーナー部材に当接させてレール間上面部材３２Ｅが取り付けられている。
【００７１】
次に、室内側および室外側のレール部３０Ｃ，３０Ｄは、それぞれアルミ押出形材製で同一断面に形成され、上方に突出した戸車案内部３０１と、下方に突出した２つの突出片で形成された凹部３０２と、室外側の突出片の側面に断面略Ｃ字形に形成された気密材保持部３０３とを有している。そして、室内外の各レール部３０Ｃ，３０Ｄは、凹部３０２でレール係合部１２５Ｇ，１２６Ｇを挟持することで下枠本体１２８に着脱自在に取り付けられている。また、各レール部３０Ｃ，３０Ｄの気密材保持部３０３に気密材３１Ｃ，３１Ｄが保持されている。
【００７２】
以上のような本実施形態によれば、前述の効果と略同様の効果に加えて、以下の効果を奏することができる。
（16）すなわち、障子１５の下框１７における室内側下端にも垂下片１７５を形成し、この垂下片１７５を下枠１２Ａ上面における室内側レール部３０Ｃと室内側上面部材３３Ｃとの隙間、および室外側レール部３０Ｄとレール間上面部材３２Ｅとの隙間に挿入することで、室内側からも障子１５下端縁と下枠１２Ａ上面との隙間が見えず、引違い窓１０Ａの意匠性を向上させることができる。
【００７３】
〔第６実施形態〕
次に、本発明の第６実施形態に係るサッシ窓である三枚建ての引違い窓１０Ｂについて、図１７〜図２０に基づいて説明する。
図１７は、本発明の第６実施形態に係るサッシ窓である三枚建ての引違い窓１０Ｂを室内側から見た正面図である。図１８、図１９は、それぞれ引違い窓１０Ｂを示す縦断面図、および横断面図である。図２０は、引違い窓１０Ｂの下枠１２Ｂを示す縦断面図である。
図１７〜図２０において、引違い窓１０Ｂは、前記第５実施形態の引違い窓１０Ａと比較して障子１５を３枚有する点が相違し、これにより窓枠、特に下枠１２Ｂの構造が相違している。その他の構成は、第５実施形態と略同様である。
【００７４】
引違い窓１０Ｂは、第１〜第５実施形態の窓枠１４と略同様に上枠１１Ｂ、下枠１２Ｂ、および縦枠１３Ｂを枠組みした窓枠１４Ｂと、室内側および室外側の障子１５Ａ，１５Ｂと同様の２枚の障子１５Ａ，１５Ｂと、これら２枚の障子の１５Ａ，１５Ｂ間に設けられた中間障子１５Ｃとを有した三枚建ての引違い窓である。中間障子１５Ｃは、図１９に示すように、室内側障子１５Ａの召合せ側の縦框１８Ａと同様の縦框１８Ａを左側に有し、室外側障子１５Ｂの召合せ側の縦框１８Ｂと同様の縦框１８Ｂを右側に有して構成されている。また、中間障子１５Ｃの上框１６、下框１７、ガラスパネル１９等の構成は、室内外の障子１５Ａ，１５Ｂと略同一である。そして、室内外の障子１５Ａ，１５Ｂおよび中間障子１５Ｃは、窓枠１４Ｂ内に開閉自在に支持されるとともに、互いの召合せ側の縦框１８Ａ，１８Ｂが重なって閉じるようになっている。
【００７５】
引違い窓１０Ｂの下枠１２Ｂは、図２０に示すように、第５実施形態と同様の室内部材１２５と、室外側に配置されるアルミ押出形材製の室外部材１２９と、これらの室内部材１２５および室外部材１２９を連結する断熱部材１２７とからなる下枠本体１２８Ｂを備えている。そして、下枠本体１２８Ｂには、障子１５の戸車１７４を案内する室内側、室外側および中間の３つのレール部３０（３０Ｃ，３０Ｄ，３０Ｅ）と、これら室内外および中間の各レール部３０Ｃ，３０Ｄ．３０Ｅの室外側側面に取り付けられて障子１５に当接する室内外および中間の気密材３１（３１Ｃ，３１Ｄ，３１Ｅ）とが設けられている。さらに、下枠本体１２８Ｂには、室内側レール部３０Ｃと中間レール部３０Ｅとの間に着脱自在に設けられたレール間上面部材３２Ｆと、中間レール部３０Ｅと室外側レール部３０Ｄとの間に着脱自在に設けられたレール間上面部材３２Ｅと、室内側レール部３０Ｃよりも室内側に着脱自在に設けられた室内側上面部材３３Ｃと、室外側レール部３０Ｄよりも室外側に着脱自在に設けられた室外側上面部材としての網戸レール３４Ａとが設けられている。
【００７６】
下枠本体１２８Ｂの室外部材１２９は、第５実施形態の室外部材１２６と略同様の固定面部１２９Ａと、傾斜面部１２９Ｂと、底面部１２９Ｃと、支持側壁部１２９Ｄと、支持上面部１２９Ｅと、室外側側壁部１２９Ｆと、レール係合部１２９Ｇと、室外側凹溝部１２９Ｈとを有して形成されている。さらに、室外部材１２９は、固定面部１２９Ａの上端部から室内側に延びて断熱部材１２７に連結される水平面部１２９Ｊと、この水平面部１２９Ｊの途中から上方に延びるレール支持部１２９Ｋと、このレール支持部１２９Ｋから立ち上がり中間レール部３０Ｅを係合するレール係合部１２９Ｌとを有している。
そして、室内外および中間のレール部３０Ｃ，３０Ｄ，３０Ｅは、第５実施形態と同様に、戸車案内部３０１と、凹部３０２と、気密材保持部３０３とを有して形成され、凹部３０２でレール係合部１２５Ｇ，１２９Ｇ，１２９Ｌを挟持することで下枠本体１２８Ｂに着脱自在に取り付けられている。また、各レール部３０Ｃ，３０Ｄ，３０Ｅの気密材保持部３０３に気密材３１Ｃ，３１Ｄ，３１Ｅが保持されている。
【００７７】
また、室内側レール部３０Ｃと室内側上面部材３３Ｃとの間、および室内側の気密材３１Ｃとレール間上面部材３２Ｆとの間には、それぞれ隙間が形成されており、これらの隙間には、室内側障子１５Ａにおける下框１７に形成された室内外の垂下片１７５がそれぞれ挿入されている。これと同様に、室外側レール部３０Ｄとレール間上面部材３２Ｅとの間、および室外側の気密材３１Ｄと網戸レール３４Ａとの間には、それぞれ隙間が形成されており、これらの隙間には、室外側障子１５Ｂにおける下框１７に形成された室内外の垂下片１７５がそれぞれ挿入されている。さらに、中間レール部３０Ｅとレール間上面部材３２Ｆとの間、および中間気密材３１Ｅとレール間上面部材３２Ｅとの間には、それぞれ隙間が形成されており、これらの隙間には、中間障子１５Ｃにおける下框１７に形成された室内外の垂下片１７５がそれぞれ挿入されている。これらの隙間寸法は、垂下片１７５を挿入するための最小限の寸法に設定されている。そして、室内外および中間の障子１５Ａ，１５Ｂ，１５Ｃの各々における室外側垂下片１７５の室内側側面には、室内外および中間の気密材３１Ｃ，３１Ｄ，３１Ｅがそれぞれ当接するようになっている。
【００７８】
次に、レール間上面部材３２Ｅ，３２Ｆは、第５実施形態と略同様の部材であって、レール間上面部材３２Ｅは、室外部材１２９の固定面部１２９Ａ上端部分および支持上面部１２９Ｅの室内側端に形成された鉤状の支持片部１２９Ｉに係合され、レール間上面部材３２Ｆは、室外部材１２９の水平面部１２９Ｊ上面およびレール支持部１２９Ｋの室内側に形成された鉤状の支持片部１２９Ｍに係合されている。また、レール間上面部材３２Ｅ，３２Ｆは、第５実施形態と略同様に、下枠１２Ｂの長手方向途中位置で複数に分割されるとともに、端部に取り付けられた取手部３２３が縦枠１３あるいはコーナー部材に当接されて下枠本体１２８Ｂに取り付けられている。
以上のような本実施形態によれば、前述の効果と略同様の効果を有する三枚建ての引違い窓１０Ｂを構成することができる。
【００７９】
なお、本発明は、前記各実施形態に限定されるものではなく、本発明の目的を達成できる他の構成等を含み、以下に示すような変形等も本発明に含まれる。
例えば、前記第１、２、５、６実施形態の引違い窓１０，１０Ａ，１０Ｂにおける下枠１２，１２Ａ，１２Ｂでは、室内側レール部３０Ａよりも室内側に室内側上面部材３３，３３Ｃ，４３を取り付け、室外側レール部３０Ｂよりも室外側に室外側上面部材としての網戸レール３４，３４Ａ，４４を取り付けたが、これら室内外の上面部材を省略してもよい。この際、室内側においては、例えば、アングル材３５，４５や上面部１２５Ｂの一部を室外側に延長したり、室内側レール部３０Ａの一部を室内側に延長したりすることで、室内側凹溝部１２１Ｄ，１２５Ｅの上方を覆うようにしてもよい。また、室外側においては、下枠本体１２４，１２８，１２８Ｂの室外側側壁部１２２Ａ，１２６Ｆ，１２９Ｆによって網戸２０を開閉可能に支持してもよいし、室外側側壁部１２２Ａ，１２６Ｆ，１２９Ｆの一部を室内側に延長して網戸レールを形成してもよい。これと同様に、前記第３、４実施形態の室内側および室外側の上面部材６３，６４，８３，８４を省略し、下枠本体５２４，７２４の一部を各上面部材が一体化されたように形成してもよい。
また、前記各実施形態では、レール部３０，６０，８０を下枠本体１２４，１２８，１２８Ｂ，５２４，７２４に対して着脱可能に取り付けたが、これに限らず、レール部を下枠本体に一体に形成してもよく、またレール部を途中で複数に分割してもよい。
【００８０】
また、前記実施形態では、窓枠１４，１４Ｂの各枠材１１，１１Ｂ，１２，１２Ａ，１２Ｂ，１３，１３Ｂ，５２，７２や障子１５の各框材１６，１７，１８を室内部材、室外部材、および断熱部材から構成したが、これに限らず、各枠材や框材を一体のアルミ形材製としてもよく、また断熱部材を用いずに、樹脂押出形材製の室内部材とアルミ押出形材製の室外部材とを連結した複合サッシとしてもよい。
また、前記実施形態では、レール部３０，６０，８０の室外側に隣接して気密材３１，６１，８１を取り付け、気密材３１，６１，８１の室外側に障子１５の垂下片１７５を挿入する隙間を設けたが、このような構成に限定されない。すなわち、レール部３０，６０，８０の室内側に隣接して気密材３１，６１，８１を取り付け、気密材３１，６１，８１の室内側に沿って隙間を形成してもよい。この際、障子１５の垂下片を下框１７の室内側側面下端に形成しておき、この垂下片を気密材３１，６１，８１に沿った隙間に挿入し、垂下片の室外側側面に気密材３１，６１，８１が当接するようにすれば、気密ラインを形成することができる。
【００８１】
また、前記第１、２実施形態では、レール間上面部材３２を四分割したが、これに限らず、二分割や三分割してもよく、また五分割以上にしてもよい。また、室内側上面部材３３についても、二分割に限らず、三分割以上に分割してもよい。
さらに、前記各実施形態では、網戸レール３４，３４Ａ，６４，８４が下枠１２，１２Ａ，１２Ｂ，５２，７２の長手方向略全長に渡る長さ寸法を有していたが、これに限らず、網戸レール３４，３４Ａ，６４，８４を二分割以上に分割してもよい。このようにすれば、窓枠１４から網戸２０を外すことなく網戸レールを下枠本体１２４，１２８，１２８Ｂ，５２４，７２４から取り外すことができるようになる。
また、前記第１〜第４実施形態では、下枠１２，５２，７２の室内側に下枠本体１２４，５２４，７２４と別体のアングル材３５，４５，６５，８５が設けられていたが、第５、第６実施形態の下枠本体１２８，１２８Ｂのように、アングル材を下枠本体１２４，５２４，７２４に一体に形成してもよい。
【００８２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００８３】
【図１】本発明の第１実施形態に係るサッシ窓が設けられた建物の一部を示す断面図である。
【図２】前記サッシ窓を示す縦断面図である。
【図３】前記サッシ窓を示す横断面図である。
【図４】前記サッシ窓における下枠を示す縦断面図である。
【図５】前記下枠を示す斜視図である。
【図６】前記下枠を示す分解斜視図である。
【図７】前記下枠の中央部分を断面して示す斜視図である。
【図８】前記下枠の中央部分を断面して示す分解斜視図である。
【図９】前記実施形態の変形例に係る下枠を示す縦断面図である。
【図１０】本発明の第２実施形態に係るサッシ窓における下枠を示す縦断面図である。
【図１１】本発明の第３実施形態に係るサッシ窓における下枠を示す縦断面図である。
【図１２】本発明の第４実施形態に係るサッシ窓における下枠を示す縦断面図である。
【図１３】本発明の第５実施形態に係るサッシ窓を示す縦断面図である。
【図１４】前記サッシ窓を示す横断面図である。
【図１５】前記サッシ窓における下枠を示す縦断面図である。
【図１６】前記下枠を断面して示す斜視図である。
【図１７】本発明の第６実施形態に係るサッシ窓を室内側から見た正面図である。
【図１８】前記サッシ窓を示す縦断面図である。
【図１９】前記サッシ窓を示す横断面図である。
【図２０】前記サッシ窓における下枠を示す縦断面図である。
【符号の説明】
【００８４】
１０，１０Ａ，１０Ｂ…サッシ窓である引違い窓、１１，１１Ｂ…上枠、１２，１２Ａ，１２Ｂ…下枠、１３，１３Ｂ…縦枠、１４，１４Ｂ…窓枠、１５…障子、１６…上框、１７…下框、１８…縦框、２０…網戸、３０…レール部、３１…気密材、３２，４２…レール間上面部材、３３，４３…室内側上面部材、３４，４４…室外側上面部材である網戸レール、３５，４５，６５，８５…固定部材であるアングル材、５０，７０…サッシ窓である片引き窓、５２，７２…下枠、６０，８０…レール部、６１，８１…気密材、６２，８２…レール側方上面部材、６３，８３…室内側上面部材、６４，８４…室外側上面部材である網戸レール、１２１，１２５，５２１，７２１…室内部材、１２１Ｂ，１２２Ｂ…レール支持部、１２１Ｃ，１２２Ｃ，３０３…気密材保持部、１２１Ｄ，１２２Ｄ，１２５Ｅ，１２６Ｈ，１２９Ｈ，５２１Ｄ，５２２Ｄ，７２１Ｄ，７２２Ｄ…凹溝部、１２２，１２６，１２９，５２２，７２２…室外部材、１２３，１２７，５２３，７２３…断熱部材、１２４，１２８，１２８Ｂ，５２４，７２４…下枠本体、１７４…戸車、１７５…垂下片、３０１…戸車案内部、３４１…網戸案内部であるガイド溝、４４１…網戸案内部であるガイド部材。
【図１】
2005232952.tif 000003
【図２】
2005232952.tif 000004
【図３】
2005232952.tif 000005
【図４】
2005232952.tif 000006
【図５】
2005232952.tif 000007
【図６】
2005232952.tif 000008
【図７】
2005232952.tif 000009
【図８】
2005232952.tif 000010
【図９】
2005232952.tif 000011
【図１０】
2005232952.tif 000012
【図１１】
2005232952.tif 000013
【図１２】
2005232952.tif 000014
【図１３】
2005232952.tif 000015
【図１４】
2005232952.tif 000016
【図１５】
2005232952.tif 000017
【図１６】
2005232952.tif 000018
【図１７】
2005232952.tif 000019
【図１８】
2005232952.tif 000020
【図１９】
2005232952.tif 000021
【図２０】
2005232952.tif 000022